(57)【要約】【課題】  軽量かつ簡単な構造で、確実に電柱に安定して取り付けることができ、さらに電柱上での作業性を高めた電柱用簡易作業足場及びその使用方法を提供する。【解決手段】  電柱Ｐから突設した第１の足場ボルト１６に係合する第１の取付部材３と、第２の足場ボルト１７に係合する第２の取付部材４と、電柱Ｐに対して根元部を当接させて略水平に突設される足場部材２とを有し、足場部材２の根元部の電柱Ｐとの当接部分には、当接部１１が形成され、第１の取付部材３は、当接部１１と、第１の足場ボルト１６に直接係合する掛け金具５とを連結する連結具６であり、第２の取付部材１７は、第２の足場ボルト１７に挿通させるための略Ｖ又はＵ字状の係合部材９と、係合部材９を足場部材２の先端部に接続するための連結部材７とからなり、係合部材９を前記第２の足場ボルト１７に係合した際に、係合部材９の両端部は、第２の足場ボルト１７の両端部に位置する。【選択図】        図１
2010018987.tif 000002
【特許請求の範囲】
【請求項１】
電柱から突設した第１の足場ボルトに係合する第１の取付部材と、
前記電柱に対して、前記第１の足場ボルトの反対側であって上部に突設した第２の足場ボルトに係合する第２の取付部材と、
前記第１の取付部材及び前記第２の取付部材と接続され、前記電柱に対して根元部を当接させて略水平に突設される足場部材とを有し、
前記足場部材の根元部の前記電柱との当接部分には、前記電柱の形状に略沿った形状の当接部が形成され、
前記第１の取付部材は、前記当接部と、前記第１の足場ボルトに直接係合する掛け金具とを連結する連結具であり、
前記第２の取付部材は、前記第２の足場ボルトに挿通させるための透孔部を両端に備えた略Ｖ又はＵ字状の係合部材と、当該係合部材を前記足場部材の前記根元部と反対側の端部である先端部に接続するための連結部材とからなり、
前記係合部材を前記第２の足場ボルトに係合した際に、前記透孔部を有する両端部は、前記第２の足場ボルトの両端部に位置することを特徴とする電柱用簡易作業足場。
【請求項２】
前記連結具は、前記当接部の左右両端に取付けられることを特徴とする請求項１に記載の電柱用簡易作業足場。
【請求項３】
前記連結具は、前記当接部の左右両端のいずれか一方にのみ取付けられることを特徴とする請求項１に記載の電柱用簡易作業足場。
【請求項４】
前記足場部材は、長手方向に対して垂直に切断したときの断面において、上面が逆Ｖ字形状又は逆Ｕ字形状に形成されることを特徴とする請求項１〜３のいずれかに記載の電柱用簡易作業足場。
【請求項５】
請求項１〜４のいずれかに記載の電柱用簡易作業足場の使用方法であって、前記第２の取付部材の前記係合部材の両端の間の前記第２の足場ボルトに手や足をかけ、あるいは命綱を取付けて作業を行うことを特徴とする電柱用簡易作業足場の使用方法。
【発明の詳細な説明】
【技術分野】
【０００１】
この発明は、電柱で作業する作業者の足場となる電柱用簡易作業足場及びその使用方法に関するものである。
【背景技術】
【０００２】
電柱の左右には、足場ボルトが突出して設けられている。この足場ボルトは、作業者が電柱を昇降しやすいように、左右の足場ボルトは上下方向に互い違いに形成されている。しかし、電柱上で作業する場合、このように左右の足場ボルトに段差があると、作業者は常にその段差に合わせて片方の足を折り曲げ、他方の足を伸ばして無理な姿勢で作業することになり、作業性が悪いものである。
【０００３】
したがって、作業中は左右両方の足場が水平であることが望ましい。作業中に簡易足場を設け、作業者の足場を水平とするための電力柱用携帯簡易足場が特許文献１に記載されている。この電力柱用携帯簡易足場は、角形状の本体の上下に備わるフックと、足場と、電柱に固定するためのバンドで構成され、不自然な姿勢での作業を不要とするものである。
【０００４】
しかし、特許文献１に記載の電力柱用携帯簡易足場では、取り付けられた足場はいわゆる片持ちの状態であるため、不安定であり、作業者の重量に耐えうるだけの強度及び構造が必要となる。したがって、このような機械的強度を得るための材質で足場と本体の連結構造を形成する必要があるので、重量が重くなり、持ち運びに不便である。また、足場が片側でのみ支持され、下側のフックが足場ボルトの一部分のみで支持されることは、作業者にとって不安な要素となる。
【０００５】
【特許文献１】実開平５−１０６４２号公報
【発明の開示】
【発明が解決しようとする課題】
【０００６】
この発明は上記従来技術を考慮したものであって、軽量かつ簡単な構造で、確実に電柱に安定して取り付けることができ、さらに電柱上での作業性を高めた電柱用簡易作業足場及びその使用方法の提供を目的とするものである。
【課題を解決するための手段】
【０００７】
前記目的を達成するため、請求項１の発明では、電柱から突設した第１の足場ボルトに係合する第１の取付部材と、前記電柱に対して、前記第１の足場ボルトの反対側であって上部に突設した第２の足場ボルトに係合する第２の取付部材と、前記第１の取付部材及び前記第２の取付部材と接続され、前記電柱に対して根元部を当接させて略水平に突設される足場部材とを有し、前記足場部材の根元部の前記電柱との当接部分には、前記電柱の形状に略沿った形状の当接部が形成され、前記第１の取付部材は、前記当接部と、前記第１の足場ボルトに直接係合する掛け金具とを連結する連結具であり、前記第２の取付部材は、前記第２の足場ボルトに挿通させるための透孔部を両端に備えた略Ｖ又はＵ字状の係合部材と、当該係合部材を前記足場部材の前記根元部と反対側の端部である先端部に接続するための連結部材とからなり、前記係合部材を前記第２の足場ボルトに係合した際に、前記透孔部を有する両端部は、前記第２の足場ボルトの両端部に位置することを特徴とする電柱用簡易作業足場を提供する。
【０００８】
請求項２の発明では、請求項１の発明において、前記連結具は、前記当接部の左右両端に取付けられることを特徴としている。
【０００９】
請求項３の発明では、請求項１の発明において、前記連結具は、前記当接部の左右両端のいずれか一方にのみ取付けられることを特徴としている。
【００１０】
請求項４の発明では、請求項１〜３のいずれかの発明において、前記足場部材は、長手方向に対して垂直に切断したときの断面において、上面が逆Ｖ字形状又は逆Ｕ字形状に形成されることを特徴としている。
【００１１】
また、請求項５の発明では、請求項１〜４のいずれかに記載の電柱用簡易作業足場の使用方法であって、前記第２の取付部材の前記係合部材の両端の間の前記第２の足場ボルトに手や足をかけ、あるいは命綱を取付けて作業を行うことを特徴とする電柱用簡易作業足場の使用方法を提供する。
【発明の効果】
【００１２】
請求項１の発明では、係合部材を第２の足場ボルトに係合した際に、その両端部が第２の足場ボルトの両端部に位置することになるので、作業者は第２の足場ボルトの中央部分を利用することができる。例えば、手や足をかけたり、あるいは命綱の取り付けに用いることができるので、作業性が向上する。また、作業者は第１の足場ボルトと足場部材を用いて、両足の高さを揃えて作業することができ、作業性が向上する。このとき、足場部材は一方の端部を第１の取付部材により、他方の端部を第２の取付部材により支持されるため、確実に安定して電柱に取付けることができる。
【００１３】
また、この発明の足場部材は、電柱外周に根元部を当接させ、第１の足場ボルトに第１の取付部材の掛け金具（例えばＯリングやフック等）を嵌めて第１の取付部材の他端を足場部材の根元部に係止し、第2の取付部材の係合部材を第2の足場ボルトに係合させれば設置が完了し、極めて容易かつ迅速に取付けることができる。
【００１４】
請求項２の発明によれば、連結具（例えばベルト、ロープ、ワイヤ等）を当接部の左右両端から電柱に沿わせ、第１の足場ボルトを掛け金具に係合させて確実に安定して足場部材を電柱に取付けることができる。このように電柱の両側から連結具を沿わして固定することにより、作業者は足場部材のどちらの方向から足をかけても、足場部材は安定して電柱に固定されるので、作業性が向上する。
【００１５】
請求項３の発明によれば、足場部材を電柱に取り付けた状態では、連結具（例えばベルト、ロープ、ワイヤ等）が電柱に対して半周だけ巻かれた状態であるため、地面から電柱に沿った立ち上がりケーブル等の装柱部材が備わっていても、これと反対側に連結具を取り付けることにより、装柱部材の影響を受けることなく確実に足場部材を電柱に取り付けることができる。また、連結具が電柱の半周だけ巻かれる、すなわち作業者から見れば電柱の片側の面だけで取り付けることができるため、作業者は両手を電柱の後ろ側に伸ばす必要がなく、電柱への装着が容易となり、取り扱い性が向上する。
【００１６】
請求項４の発明によれば、作業者が足場部材に足をかけやすくなり、また作業中は作業者は電柱に対して命綱を介して斜めになって作業することが多いため、その体勢をとりやすくなる。
【００１７】
請求項５の発明によれば、連結部材の両端部の間の第２の足場ボルトを有効に利用することができ、作業性が向上する。すなわち、連結部材をＶ又はＵ字状に形成するので、第２の足場ボルトの中央部分が広く利用でき、ここに手をかけて作業したり、足をかけて電柱を上ったり、命綱のフックを掛けたりすることができる。
【発明を実施するための最良の形態】
【００１８】
図１はこの発明に係る電柱用簡易作業足場を電柱に取り付けた状態の正面図であり、図２は図１の状態における足場部材及び第１の取付部材の平面図である。また、図３は図１の状態における足場部材及び第２の取付部材の側面図である。
【００１９】
図示したように、この発明に係る電柱用簡易作業足場１は、足場部材２と、第１の取付部材３と、第２の取付部材４で構成される。第１の取付部材３は、Ｏリング（掛け金具）５を備えたベルト（連結具）６からなる。第２の取付部材４は、係合部材９と連結部材７からなり、連結部材７は、足場部材２に対して回動可能に取付けられた連結金具８と、ワイヤロープ１０で構成される。係合部材９は、上側が開いた略Ｖ又はＵ字形状であり、両端部に第２の足場ボルト１７を挿通可能な透孔部１３が形成される（図３参照）。足場部材２は、逆向きチャネル部材からなる足載せ部材１５と、足載せ部材１５の電柱Ｐに当接する側の端部（根元部）に形成される当接部１１で構成される。
【００２０】
当接部１１は電柱Ｐに沿うような形状に形成され、足載せ部材１５の根元部から両側に溶着固定された当接部材１４と、その両側のバックル１２で形成される。これにより、足載せ部材１５の根元部から当接部１１が左右に張り出した構成とされるので、当接部１１の張り出した部分で電柱Ｐとの接触面積を広げ、足場部材２を確実に支持することができる。バックル１２は、ベルト６の一端を通して固定するためのものである。また、足場部材２の足載せ部材１５の上面に、滑り止め材２０が貼着される（図２参照）。これにより、足場部材２に作業者が足を乗せて作業する際に、足元が滑ることはなく、安心かつ安全に作業をすることができる。
【００２１】
足場部材２がその根元部の当接部１１を電柱に当てられて、電柱Ｐに取付けられた状態において、第２の取付部材４は電柱Ｐから突設した第２の足場ボルト１７に係合する。このとき、係合部材９の両端部が第２の足場ボルト１７のそれぞれ両端部に位置する構成としているので、作業者は第２の足場ボルトの中央部分を自由に利用することができる。例えば、手や足をかけたり、あるいは命綱の取付けに用いることができるので、作業性が向上する。すなわち、係合部材９を上側が開いた略Ｖ字又はＵ字形状とすることにより、第２の足場ボルト１７に取付けた際に、足場ボルト１７の利用の自由度が高まり、作業者は係合部材９に気を使うことなく、当該第2の足場ボルト１７を用いて通常通りの作業を容易に行うことができる。
【００２２】
また、係合部材９は、ワイヤロープ１０及び連結金具８を介して足場部材２の電柱Ｐに対して遠い側の端部（先端部）と連結される。このため、足場部材２は第２の足場ボルト１７に対して第２の取付部材４により固定支持される。この状態において、ワイヤロープ１０は、鉛直方向に緊張し、足場部材２の長手方向略中央の上方に位置するため、ワイヤロープ１０で足場部材２にかかる作業者の重量をその中央で確実に受けることができる。なお、ベルト６で足場部材２を水平方向に係合させていない場合であっても、第２の足場ボルト１７からワイヤロープ１０で吊り下げられている状態で、足場部材は水平に保たれ、作業者の重量を受けることができる。連結金具８は足場部材２の先端部に取付けられ、一端上方へ伸びてその後、電柱Ｐ側へ折り曲げた屈曲部を設けているので、足場部材２に作業者が足を乗せる際にこれが妨げとなることはない。上述したように、連結金具８は足場部材２に対して回動可能に取付けられるため、これを折りたたんで電柱用簡易作業足場１の持ち運びが可能となり、取り扱い性が向上する。
【００２３】
足載せ部材１５の上面は長手方向に切断した断面において、上面が逆Ｖ字形状又は逆Ｕ字形状（図では逆Ｖ字形状）に形成される。これにより、作業者が足をかけやすくなり、また作業中は作業者は電柱Ｐに対して命綱を介して斜めになって作業することが多いため、その体勢をとりやすくなる。したがって、図に示すような断面逆Ｖ字状に形成すれば、いずれの側から足をかける際もかけやすくなり、好ましい。足載せ部材１５の先端部には、連結金具８を取付けるための取付座金１８が備わる。取付座金１８にはストッパ１９が設けてあり、これにより連結部材８が足場部材２に対して９０°以上回動しないように規制している。
【００２４】
また、足場部材２が電柱Ｐに取り付けられた状態において、第１の取付部材３は、第１の足場ボルト１６に係合する。このとき、Ｏリング５が第１の足場ボルト１６に挿通され、バックル１２によりベルト６の長さを調節して確実に固定される。これにより、足場部材２は第１の足場ボルト１６の略軸方向で水平となる。このため、作業者は第１の足場ボルト１６と足場部材２に足を乗せることにより、両足の高さを揃えて作業することができ、作業性が向上する。
【００２５】
ベルト６は、当接部１１の両端に備わるため、電柱Ｐに対して両側から挟むように巻かれ、固定される。これにより、ベルト６を当接部１１の左右両端から電柱に沿わせ、第１の足場ボルト１６をＯリング１０に挿通して確実に安定して足場部材２を電柱Ｐに取付けることができる。このように電柱Ｐの両側からベルト６を沿わして固定することにより、作業者は足場部材２のどちらの方向から足をかけても、足場部材２は安定して電柱Ｐに固定されるので、作業性が向上する。
【００２６】
なお、図では２本のベルト６を用いて電柱Ｐを全周巻いた構造を示したが、ベルト６を当接部１１の左右両端のいずれか一方にのみ取付け、電柱Ｐに対し半周のみ巻く構造であってもよい。半周巻きであっても、足場部材２は安定して電柱Ｐに固定され、十分な強度を有することが確認されている。このようにすれば、足場部材２を電柱Ｐに取付けた状態では、ベルト６が電柱Ｐに対して半周だけ巻かれた状態となるため、地面から電柱Ｐに沿った立ち上がりケーブル等の装柱部材が備わっていても、これと反対側にベルト６を取付けることにより、装柱部材の影響を受けることなく確実に足場部材２を電柱Ｐに取付けることができる。また、ベルト６が電柱Ｐの半周だけ巻かれる、すなわち作業者から見れば電柱Ｐの片側の面だけで取付けることができるため、取付の際に作業者は両手を電柱Ｐの後ろ側に伸ばす必要がなく、電柱Ｐへの装着が容易となり、取り扱い性が向上する。
【００２７】
以上の構成から、足場部材２は、一方の端部を第１の取付部材３により、他方の端部を第２の取付部材４により支持されるため、確実に安定して電柱Ｐに取付けられることができる。
【図面の簡単な説明】
【００２８】
【図１】この発明に係る電柱用簡易作業足場を電柱に取り付けた状態の正面図である。
【図２】図１の状態における足場部材及び第１の取付部材の平面図である
【図３】図１の状態における足場部材及び第２の取付部材の側面図である。
【符号の説明】
【００２９】
１：電柱用簡易作業足場、２：足場部材、３：第１の取付部材、４：第２の取付部材、５：Ｏリング、６：ベルト、７：連結部材、８：連結金具、９：係合部材、１０：ワイヤロープ、１１：当接部、１２：バックル、１３：透孔部、１４：当接部材、１５：足載せ部材、１６：第１の足場ボルト、１７：第２の足場ボルト、１８：取付座金、１９：ストッパ、２０：滑り止め材
【図１】
2010018987.tif 000003
【図２】
2010018987.tif 000004
【図３】
2010018987.tif 000005